(57)【要約】【課題】従来の置棚は、棚材を取り外すことによりアイロン台や掃除機などの長尺物をも収容できるものの、横桟等が邪魔になって長尺物を自在に出し入れすることができなかった、そこで、置棚を押入から引っ張り出さずとも、押入に収容したままで、掃除機やアイロン台などの長尺物を容易に出し入れすることができる置棚を提供する。【解決手段】二本脚の支脚フレームを対峙させ、当該一対の支脚フレーム間に横桟を架橋すると共に、該横桟に棚材を取り外し自在に設けてなる置棚であって、少なくとも一方の支脚フレームは二本脚を水平材に連結したＵ字状に成型され、且つ、その二本脚間の空間から長尺物をほぼ立設した状態のまま出し入れ自在に上方または下方を開放した状態で立脚した。【選択図】        図１
2004166803.tif 000002
【特許請求の範囲】
【請求項１】
二本脚の支脚フレームを対峙させ、当該一対の支脚フレーム間に横桟を架橋すると共に、該横桟に棚材を取り外し自在に設けてなる置棚であって、少なくとも一方の支脚フレームは二本脚を水平材に連結したＵ字状に成型され、且つ、その二本脚間の空間から長尺物をほぼ立設した状態のまま出し入れ自在に上方または下方を開放した状態で立脚したことを特徴とする置棚。
【請求項２】
横桟と棚材によって構成される棚は、上下複数段に設けられる請求項１記載の置棚。
【請求項３】
支脚フレームと横桟は、同径のパイプからなる請求項１または２記載の置棚。
【請求項４】
横桟は、伸縮自在に構成してなる請求項１、２または３記載の置棚。
【発明の詳細な説明】
【０００１】
【発明の属する技術分野】
この発明は、棚材を取り外し自在に設けた組み立て式の置棚に係り、より詳しくは棚材を取り外すことによって掃除機やアイロン台などの長尺物を立設した状態で収納すると共に、該長尺物を取り出しやすくした構造に関するものである。
【０００２】
【従来の技術】
従来から、押入等の収納効率を高めるために、左右一対の支脚間に棚受用横桟を架橋し、該横桟上に取り外し自在な棚材を載置してなる置棚は公知である（例えば、特許文献１、２）。この置棚によれば、棚材によって押入内部を上下に区画することができるため、棚の上には布団を、下には洋服の収納ボックスを置くというように、押入内部の整理が図られ、収納効率を高めることができる。
【０００３】
【特許文献１】
特開平９−６５９３７号公報
【特許文献２】
特開２０００−２６２３４１号公報
【０００４】
【発明が解決しようとする課題】
ところで、この種置棚は棚材を取り外すことによって掃除機やアイロン台などの長尺物も立設した状態で載置ないしは収納することができる。しかしながら、上記特許文献１、２で公知の置棚は、支脚の前後に横桟が位置しているため、該横桟が邪魔になって長尺物の出し入れが困難であった。また、左右の支脚とも逆Ｕ字状に形成されているため、仮に左右一方を正面として置棚を押入に配置したとしても、置棚の左右からも長尺物を出し入れすることはできなかった。
【０００５】
このため置棚に長尺物を載置等しようとすれば、その都度、置棚を押入から引っ張り出す必要があった。そして、この作業は置棚に物品が乗ったまま行われるため、女性や老人など腕力の弱い者にとっては非常な苦痛が強いられるという課題があったのである。
【０００６】
このような課題に鑑み本発明は、置棚を押入から引っ張り出さずとも、置棚を押入に収容したままで、掃除機やアイロン台などの長尺物を容易に出し入れすることができる置棚を提供することを目的として創作されたものである。
【０００７】
【課題を解決するための手段】
上述した目的を達成するために本発明では、二本脚の支脚フレームを対峙させ、当該一対の支脚フレーム間に横桟を架橋すると共に、該横桟に水平棚材を取り外し自在に設けてなることを構成の前提とする。そして、少なくとも一方の支脚フレームはその二本脚間の空間から長尺物をほぼ立設した状態のまま出し入れ自在となるように前記空間を開放するという手段を用いた。当該手段によれば、一方の支脚フレームが手前となるように本置棚を押入等に収納した状態において、当該一方の支脚フレーム側には二本脚間の空間を遮断ないしは遮蔽する部材が存在しないので、当該空間を出入り口として長尺物を立設した状態で出し入れすることができるのである。なお、前記空間が確保されるのは、片方の支脚フレームだけであってもよいし、両方の支脚フレームであってもよい。また、水平棚材はその全てを取り外し自在に構成する必要はなく、少なくとも二本脚間の空間が開放された支脚フレーム側において長尺物の収納スペース分だけ取り外しできれば、その余を固定棚とすることもできる。
【０００８】
長尺物を出し入れする支脚フレームの具体的構成は、二本脚を水平材により連結したＵ字状に成型してなる。より具体的には、パイプを折曲すれば簡単にＵ字状の支脚フレームを得ることができる。この手段によれば、二本脚を水平材により連結しているため、置棚の捻り剛性が高まる。また、このＵ字状支脚フレームを逆Ｕ字状に立脚させるという手段によれば、水平材の位置が高くなり、水平材が長尺物の出し入れに支障を来すことがない。なお、逆Ｕ字状に成型および立脚するのは、長尺物を出し入れする側の支脚フレームのみであってもよいし、他方の支脚フレームとも同じ構成とすることであってもよい。
【０００９】
一方、上記Ｕ字状支脚フレームをＵ字状のまま立脚させる手段によれば、水平材による連結によって剛性が高い一体物の支脚フレームが構成され、全体としても捻れ剛性の高い置棚とすることができる。また、Ｕ字状のまま立脚させているため、二本脚の上方は開放され、逆Ｕ字状に立脚したように支脚フレームの高さを調整するまでもなく、二本脚間を長尺物の出し入れ空間として確保することができる。なお、この手段においても、一対の支脚フレームともＵ字状に立脚させることができる。
【００１０】
なお、少なくとも二本脚間の空間が開放されてなる支脚フレームを二本脚のみから構成するという手段を用いることもできる。この手段では、二本脚の間に水平材がなく、上下とも全て開放されるから、Ｕ字状支脚フレームをＵ字状のまま立脚させたときと同じように、支脚フレームの高さを調整することなく、長尺物を出し入れすることができる。なお、一対の支脚フレームとも当該構成に統一することもできるが、好ましくは長尺物の出し入れを目的としない他方の支脚フレームについては、請求項２や３のように、二本脚を水平材等によって連結した構成とする。置棚の捻れ剛性を高めるためである。
【００１１】
請求項２では、横桟と棚材によって構成される棚を上下複数段に設けるという手段を用いた。この手段によれば、数段の棚によって置棚を高さ方向に区画することできる。また、各棚とも棚材を取り外し自在とすれば収納物の大きさに応じた区画も可能である。ただし、全ての棚について棚材を取り外し自在とする必要なく、例えば最下段の棚については棚材を固定した固定棚とすることも可能であるし、棚ごとに取り外し自在な取替棚と固定棚とを混在させることも可能である。つまり、本発明においては、上述したように長尺物を出し入れする支脚フレーム側の一部を取り外しできれば、その余のバリエーションは限定しない。
【００１２】
なお、横桟を支脚フレームに対して高さ調整可能に架橋するという手段を用いてもよい。この手段によれば棚の高さを微調整することができる。なお、少なくとも二段階に高さ調整できるのであれば、何段階に調整するかは限定されない。
【００１３】
請求項３では、支脚フレームと横桟とを同径のパイプから構成するという手段を用いた。この手段によれば、棚材を横桟だけでなく支脚フレームにも取り外し自在に取り付けることができる。通常、この種の置棚（置棚）は、支脚フレームや棚材、横桟を分解した状態で箱詰めして販売される。よって、この手段によれば、棚材を横桟と支脚フレームの何れにも取り付けた状態で箱詰めできるから、当該パッケージをコンパクト化することができる。また、棚材を支脚フレームにも取り付けられることから、組み立て状態において棚材を支脚フレームに取り付ければ、これがガード材として機能し、収納物の脱落も防止することができる。
【００１４】
請求項４では、横桟を伸縮自在に構成するという手段を用いた。この手段によれば、横桟の伸縮機能により置棚の全長を適宜調整することができる。なお、当該伸縮構造は外管に内管を挿通することによって簡単に構成することができる。
【００１５】
なお、支脚フレームの下端にキャスターを設けるという手段を用いてもよい。この手段によれば、置棚の移動が容易となる。例えば、押入から置棚を引き出すときに便利である。
【００１６】
【発明の実施の形態】
以下、本発明の好ましい実施の形態を添付した図面に従って説明する。図１は、本発明の一実施形態に係る置棚の使用状態図である。図中、１・２は二本の脚１ａ・２ａの上方を水平材１ｂ・２ｂによって連結してなる逆Ｕ字状の支脚フレームであって、一方の支脚フレーム１は脚１ａ間の空間が開放され、且つ、アイロン台Ｉなどの長尺物を出し入れする際に水平材１ｂが当たらない高さとなるように脚１ａの長さが設定されている。３は支脚フレーム１・２間に架橋された横桟、４は凹陥状鈎部４ａにより横桟３に対して取り外し自在に取り付けらる棚材であって、本実施形態では上下二段の棚５・６を構成している。ここで、凹陥状鈎部４ａの径を横桟３の径よりも若干小さくするなど、該鈎部４ａを横桟３に対して嵌合する構成であれば、棚材４の取付強度が高まり、棚材４の不用意な脱落を防止できると共に、後述するように棚材４を支脚フレーム１・２に対するガード材として使用する際も強固に取り付けられて便宜であるが、棚材４の横桟３に対する着脱構造はこれに限定されない。なお、下段の棚６はこれに載置した収納物を置棚ごと移動させるのに便宜であるが、これを省略することも、またその棚材４を固定棚とすることもできる。さらに、全体として棚を三段以上に設けることも自由であり、棚数や棚材の固定方法に関するバリエーションに限定はない。ただし、一方の支脚フレーム１側については、長尺物を収納するため、該収納スペースに見合った分だけ、棚材４が取り外し自在な棚５を構成する必要がある。７は支脚フレーム１・２の下端に設けられたキャスターであり、置棚をワゴンのように使用できる利点がある。
【００１７】
当該構成の置棚は、上段の棚５の棚材４を取り外すことによって、長尺物を立設した状態で収納できるものである。特に、支脚フレーム１側における棚材４を取り外して長尺物を収納しておき、当該置棚を押入等の収納スペース内に対して前記支脚フレーム１が手前となるにように配置するか（図２参照）、あるいは、横桟３が手前となるように置棚が横向きに配置されている場合にあっては、キャスター７を利用して支脚フレーム１が手前となるように置棚を回転させることで、押入等から置棚全体を引っ張り出すことなく、一方の支脚フレーム１側から長尺物を容易に出し入れすることができる。このように、置棚の押入等に対する配置方法は問わず、支脚フレーム１側に長尺物を収納することで、該支脚フレーム１から長尺物を出し入れすることができるのである。なお、家庭において未使用時に押入等に収納されるいわゆる背の高い長尺物としては、上述したアイロン台の他、掃除機、扇風機、ストーブ、テニスラケット、テント、丸めたカレンダー、８ｋｇ以上相当のペットフードなどを例示できるが、その収納物が限定されないのはもちろんである。
【００１８】
次に他の実施形態を幾つか説明する。先ず、支脚フレーム１について、上記実施形態では逆Ｕ字状としたが、図３に示すようなＵ字状であってもよく、この場合、水平材１ｂによる捻り剛性が確保されるだけでなく、脚１ａ間は上方とも開放されているため、脚１ａの長さを長尺物に合わせて設定する必要がない。この点、逆Ｕ字状の支脚フレーム１であっても、当該二本脚１ａを上下に伸縮可能な構成とすることで、使用者サイドが長尺物のサイズに合わせて支脚フレーム１の高さを設定することが可能である。当該伸縮構造は横桟３について後述するように、外管とこれに挿通可能な内管の組み合わせを例示でき、且つ、支脚フレーム１にあってはピン止め等による位置決め手段が必要となる。一方、支脚フレーム１は、図４に示すように、水平材１ｂを省略し、脚１ａのみで構成することも可能である。この場合も脚１ａの長さ設定が厳格でなくなり、構成を簡素化することができる。また、この置棚を分解したときには、脚１ａは単なる棒材となるから、箱詰めのパッケージもコンパクト化することができる。なお、捻り剛性が必要な場合は、他方の支脚フレーム２のみ逆Ｕ字状あるいはＵ字状とすること等によって確保すればよい。
【００１９】
続いての実施形態としては、横桟３を支脚フレーム１・２に対して高さ調整可能に設けることを例示することができる。横桟３は図５に示したように支脚フレーム１・２に対してビス８止めすることが組み立て容易であるが、支脚フレーム１・２の脚１ａ・１ｂにビス孔９を上下複数個設けておくことによって、横桟３の高さを選択することができる。
【００２０】
さらなる実施形態としては、支脚フレーム１・２の脚１ａ・１ｂと横桟３を同径のパイプから構成することを例示できる。この場合、棚材４は支脚フレーム１・２にも取り外し自在に取り付けられることになるから、図１のように、支脚フレーム１・２に棚材４を取り付けることによって、該棚材４が長尺物の転倒や収納物の脱落を防止するガード材として機能する。また、支脚フレーム１・２が水平材１ｂ・２ｂによって逆Ｕ字状あるいはＵ字状に一体化されている場合であっても、これに棚材４を嵌めた状態としてパッケージすれば販売時の箱詰めも小さくすることができる。なお、棚材４をガード材として使用する場合の棚材４の支脚フレーム１・２に対する固定方法であるが、上述したように凹陥状鈎部４ａの径を横桟３の径よりも小さくして密に嵌合させる他、横桟３の上側に棚材４を位置させ、横桟３によって棚材４を下方から支持するようにすれば、棚材４を側面ガード材として横桟３に固定することができる。また、この際、より確実にガード機能を得るためには、図１に図示されるように、棚材４を置棚の内側から支脚フレーム１・２に固定することが好ましい。
【００２１】
さらに他の実施形態としては、横桟３を、例えば図６に示したように、外管３ａに内管３ｂを挿通した伸縮可能な構成とすれば、置棚の全長を押入等の収納スペースや収納態様に応じて変更でき、汎用性や便宜性を高めることができる。ただし、横桟３の伸縮構造はこれに限定されない。
【００２２】
【発明の効果】
以上説明したように本発明によれば、少なくとも一方の支脚フレームはその二本脚間の空間から長尺物をほぼ立設した状態のまま出し入れ自在となるように前記空間を開放するという手段を用いたので、押入に置棚を収容した状態で掃除機やアイロン台などの長尺物を容易に出し入れすることができる。長尺物の出し入れを行う側の支脚フレームの具体的構成として、該一方の支脚フレームを逆Ｕ字状あるいはＵ字状に成型したものにあっては、連結用の水平材によって捻れ剛性の高い置棚とすることができる。特に、一方の支脚フレームをＵ字状に成型した場合には、該支脚フレームの高さを調整するまでもなく、その上方を長尺物の出し入れ空間として確保することができて、置棚の構成を簡素化することができる。
【００２３】
さらに、横桟と棚材によって構成される棚を上下複数段に設けた場合には、数段の棚によって置棚を高さ方向に区画することできる。さらにまた、横桟を支脚フレームに対して高さ調整可能に架橋したものにあっては、棚の高さを微調整することができる。なお、少なくとも二段階に高さ調整できるのであれば、何段階に調整するかは限定されない。
【００２４】
一方、支脚フレームと横桟とを同径のパイプから構成したものにあっては、棚材を支脚フレームに対するガード材としても援用できる他、分解時のパッケージをコンパクト化することができる。
【図面の簡単な説明】
【図１】本発明の一実施形態に係る置棚の使用状態を示した斜視図
【図２】同置棚の押入に対する配置状態を示した説明図
【図３】他の実施形態に係る支脚フレームの斜視図
【図４】さらなる他の実施形態に係る支脚フレームの斜視図
【図５】横桟の取付態様に関する実施形態を示した置棚の分解斜視図
【図６】他の実施形態に係る横桟の斜視図
【符号の説明】
１  支脚フレーム（長尺物の出し入れ側）
２  支脚フレーム
３  横桟
４  棚材
５・６  棚
７  キャスター
８  ビス
９  ビス孔
【図１】
2004166803.tif 000003
【図２】
2004166803.tif 000004
【図３】
2004166803.tif 000005
【図４】
2004166803.tif 000006
【図５】
2004166803.tif 000007
【図６】
2004166803.tif 000008